(57)【要約】【課題】美観を損なうことなく、平面型表示装置を支持することができる。【解決手段】本体部２は、プラズマディスプレイ４を内部に収容可能な大きさに形成され、上面にプラズマディスプレイ４が通過可能な開口３を有している。この本体部２内にラック８ａ、８ｂとピニオン１６ａ、１６ｂからなる昇降部が設けられ、この昇降部は、本体部２内にあるモータ１８によって駆動される。本体部２内に定荷重バネ２２が設けられ、一端が本体部２内に取り付けられ、他端がプラズマディスプレイ４に結合され、プラズマディスプレイ４の重力よりも小さい一定の上向きの力をプラズマディスプレイ４に常に付与している。【選択図】        図１
2005004139.tif 000002
【特許請求の範囲】
【請求項１】
平面型表示装置全体を内部に収容可能で、上面に前記平面型表示装置が通過可能な開口を有する本体部と、
この本体部内に設けられ、前記平面型表示装置全体が前記本体部内に収容された下降状態と、前記平面型表示装置のほぼ全体が前記本体部の上面から上方に突出している上昇状態との間で、前記平面型表示装置を昇降させる昇降部と、
前記本体部内に設けられ、前記昇降部を駆動する駆動部と、
前記本体部内に設けられ、一端が前記本体部内に取り付けられ、他端が前記平面型表示装置に結合され、前記平面型表示装置の重力よりも小さい一定の上向きの力を前記平面型表示装置に常に付与する定荷重バネとを、
具備する平面型表示装置の支持台。
【請求項２】
請求項１記載の平面型表示装置の支持台において、前記定荷重バネが複数設けられ、複数の定荷重バネは、前記本体部の正面における左右方向に間隔をあけて配置されている平面型表示装置の支持台。
【請求項３】
請求項１記載の平面型表示装置の支持台において、前記駆動部はモータであって、前記昇降部は、このモータの回転を直線運動に変換する回転運動−直線運動変換部を備え、前記モータと前記回転運動−直線運動変換部との間に回転伝達部が設けられ、この回転伝達部は、同軸に固定された第１及び第２平歯車を有し、第２平歯車が前記モータによって回転させられ、第２平歯車が第１平歯車と面接触して第１平歯車に回転を伝達している平面型表示装置の支持台。
【発明の詳細な説明】
【０００１】
【発明の属する技術分野】
本発明は、例えばプラズマディスプレイのような平面型表示装置の支持台に関し、特に、支持台内に平面型表示装置を収容可能なものに関する。
【０００２】
【従来の技術】
従来、平面型表示装置の支持台としては、例えば特許文献１に開示されたようなものがある。
【０００３】
【特許文献１】
特開平１１−１８４３９４号公報
【０００４】
特許文献１の支持台は、部屋の中間位置にも平面型表示装置を設置可能とするためのもので、第１乃至第３の支柱を備えている。第１の支柱は、一端に床面に当接する当接部を有し、第２の支柱は、一端に天井に当接する当接部を有している。第３の支柱は、一端が第１の支柱の他端に連結され、他端が第２の支柱の他端に連結されている。第３の支柱に、これとほぼ直角に交差してホルダが取り付けられている。このホルダにプラズマディスプレイが取り付けられている。
【０００５】
【発明が解決しようとする課題】
特許文献１の支持台では、床側から天井側に向かって、順に第１の支柱、第３の支柱及び第２の支柱が直線状に並んでいるので、室内の美観を損なう。特に、窓際等に、この支持台を設けた場合、窓からの風景をこの支持台が損なう。
【０００６】
本発明は、室内の美観を損なうことなく、平面型表示装置を支持することができる支持台を提供することを目的とする。
【０００７】
【課題を解決するための手段】
本発明による支持台は、本体部を有している。この本体部は、平面型表示装置全体を内部に収容可能で、上面に平面型表示装置が通過可能な開口を有している。本体部としては、その正面の大きさが、平面型表示装置の正面よりも一回りぐらい大きく、奥行きも平面型表示装置の奥行きよりも一回りぐらい大きい直方体状のものが望ましい。この本体部内に昇降部が設けられている。この昇降部は、平面型表示装置全体が本体部内に収容された下降状態と、平面型表示装置のほぼ全体が本体部の上面から上方に突出している上昇状態との間で、前記平面型表示装置を昇降させる。この昇降部を駆動する駆動部が、本体部内に設けられている。駆動部が回転機機である場合には、昇降部には、回転運動−直線運動変換部を使用する。この本体部内に定荷重バネが設けられている。この定荷重バネの一端が本体部内に取り付けられ、定荷重バネの他端が平面型表示装置に結合されている。この定荷重バネは、平面型表示装置の重力よりも小さい一定の上向きの力を平面型表示装置に常に付与している。
【０００８】
このように構成された支持台では、駆動部によって昇降部を昇降させると、平面型表示装置が本体部から上方に突出した上昇状態と、本体部内に収容された下降状態との間で移動する。従って、平板型表示装置を使用しない場合には、本体部内に平面型表示装置を完全に収容することができ、外観は本体部のみが存在する状態になる。よって、室内の美観をこの支持台が損なうことはないし、例えば窓際にこの支持台を配置したとしても、平板型表示装置が不使用の状態では、窓からの景色を平板型表示装置によって阻害されることがない。
【０００９】
しかも、この支持台では、平板型表示装置に定荷重バネによって上向きの力が常に付与されているので、駆動装置には、平板型表示装置の重量から定荷重バネによる上向きの力を減算した値よりも幾分大きい駆動力を平板型表示装置に付与できるものを使用すれば、平板型表示装置を上昇させることができ、駆動装置には小型のものを使用することができる。
【００１０】
この支持台では、複数の定荷重バネを設けることができる。この場合、複数の定荷重バネは、本体部の正面における幅方向に間隔をあけて配置されている。このように構成すると、平面型表示装置の重力の大部分を複数の定荷重バネの上向きの力の合計値が負担するので、駆動装置には益々小型のものを使用することができる。
【００１１】
駆動部を回転機機、例えば電気モータとすることができる。この場合、昇降部は、このモータの回転を直線運動に変換する回転運動−直線運動変換部を備えている。この回転運動−直線運動変換部としては、例えば平面型表示装置側に設けたラックと、このラックと噛み合っているピニオンとを使用することができる。モータと回転運動−直線運動変換部との間に回転伝達部が設けられている。この回転伝達部は、同軸に固定された第１及び第２平歯車を有している。第２平歯車がモータによって回転させられる。第２平歯車は、第１平歯車と面接触して、第１平歯車に回転を伝達している。
【００１２】
このように構成すると、モータの回転が第２平歯車から第１平歯車に伝達され、さらに回転運動−直線運動変換部に伝達され、平面型表示装置を昇降させることができる。特に第１及び第２平歯車が面接触することによって回転を伝達しているので、例えばモータが停止している状態で、第１平歯車に大きな力が伝達されると、第２平歯車とは無関係に第１平歯車が回転可能になる。従って、例えば手動によって平面型表示装置を昇降させることも可能となる。この場合でも、定荷重バネが使用されているので、小さな力で平面型表示装置を昇降させることが可能になる。
【００１３】
【発明の実施の形態】
本発明の１実施形態の支持台は、図１に示すように、本体部２を有している。この本体部２は、概略直方体状に形成され、その厚さは正面の大きさと比較して薄く形成されている。この本体部２の上面の正面側には、その幅方向に沿って開口３が形成されている。この開口３から平面型表示装置、例えばプラズマディスプレイ４が矢印で示すように、昇降する。なお、図１に符号５で示したものは、開口３の蓋である。
【００１４】
プラズマディスプレイ４は、本体部２よりも高さ、幅及び奥行きがほぼ一回り小さいもので、本体部２内に開口３を介して破線で示すように収容可能である。
【００１５】
図２（ａ）に示すように、プラズマディスプレイ４の背面側のほぼ中央の両側には、その高さ方向に沿って２条の金具６ａ、６ｂが取り付けられている。これら金具６ａ、６ｂには、ラック８ａ、８ｂがそれらの歯が内側をそれぞれ向いて取り付けられている。これら金具６ａ、６ｂ、ラック８ａ、８ｂを図３に示す。
【００１６】
図２（ａ）に示すように、本体部２内のプラズマディスプレイ４の背面側には、プラズマディスプレイ４の背面と間隔をおいて固定板１０が配置されている。この固定板１０は、本体部２内に固定されている。この固定板１０におけるプラズマディスプレイ４の背面のほぼ中央に対応する位置に、ギヤボックス１４が金具１２ａ、１２ｂを介して取り付けられている。
【００１７】
このギヤボックス１４は、図３に示すように、ラック８ａ、８ｂに噛み合っているピニオン１６ａ、１６ｂを両外側に有している。ラック８ａ、８ｂ及びピニオン１６ａ、１６ｂは、回転運動−直線運動変換部を構成しており、これはまた昇降部でもある。後述するように、ギヤボックス１４内には、駆動部、例えば電気モータ１８が配置されている。このモータ１８の回転がピニオン１６ａ、１６ｂに、これらが互いに反対方向に回転するように、回転伝達部２０を介して伝達される。
【００１８】
従って、プラズマディスプレイ４が本体部２内に完全に収容されている下降状態において、モータ１８を或る方向に回転させると、ギヤボックス１４が本体部２に固定されているので、ラック８ａ、８ｂが設けられているプラズマディスプレイ４が本体部２内から開口３から本体部２の上方に突出し、最終的に上昇状態となる。この上昇状態から、モータ１８を逆方向に回転させると、ラック８ａ、８ｂと共にプラズマディスプレイ４が下降し、最終的に下降状態となる。
【００１９】
このように、本体部２の上面からプラズマディスプレイ４が昇降するので、プラズマディスプレイ４で視聴を行わない場合、プラズマディスプレイ４を本体部２内に収容した下降状態とすると、支持台２の上面には何も存在せず、外観を良好にすることができる。また、本体部２を屋内の窓際に配置していても、窓を通して見る景色をプラズマディスプレイ４が阻害することもない。
【００２０】
ギヤボックス１４内の構成を概略的に図４に示す。ラック８ａと噛み合っているピニオン１６ａは、ギアボックス１４内において、回転伝達部２０の第１の平歯車２０ａと噛み合っている。第１の平歯車２０ａは、第２の平歯車２０ｂと同一軸２０ｃに挿通されている。但し、第１及び第２の平歯車２０ａ、２０ｂは、軸２０ｃにそれぞれ独立して回転可能に取り付けられている。これら第１及び第２の平歯車２０ａ、２０ｂは、面接触しており、それらの間には第２の平歯車２０ｂの回転を第１の平歯車２０ａに伝達可能に回転伝達体、例えばグリス２０ｄが塗布されている。第２の平歯車２０ｂは、他の平歯車２０ｅと噛み合っている。この平歯車２０ｅは、ウオームギア２０ｆと共に回転するように構成され、このウオームギア２０ｆはモータ１８のウオーム２０ｇと噛み合っている。
【００２１】
従って、通常状態では、第２の平歯車２０ｂの回転が第１の平歯車２０ａに伝達されるが、例えば大きな力が第１の平歯車２０ａに伝わったときには、グリス２０ｄによる拘束が解かれ、第１の平歯車２０ａが第２の平歯車２０ｂとは独立して回転可能になる。
【００２２】
第１及び第２の平歯車２０ａ、２０ｂ及びグリス２０ｄを用いていない場合、ウオーム２０ｇを手動で回転させることができないので、プラズマディスプレイ４を手動で上昇または降下させることは不可能である。しかし、この支持台では、プラズマディスプレイ４を手動で上昇または下降させようとプラズマディスプレイ４に力を加えると、これが第１の平歯車２０ａに伝達され、グリス２０ｄによる第１及び第２の平歯車２０ａ、２０ｂの拘束が破れ、プラズマディスプレイ４は手動で上昇または下降が可能となる。従って、例えばプラズマディスプレイ４を上昇状態とした後、手でプラズマディスプレイ４を下方に押すと、手動で下降状態とすることができる。
【００２３】
なお、上記の説明では、ラック８ａ側についてのみ説明したが、実際には、第１の平歯車２０ａには、図示していないもう１つの平歯車を介してラック８ｂが結合されている。
【００２４】
モータ１８の駆動開始及び停止、回転方向の変更は、例えば図示していない遠隔制御用送信機によって行うことができる。
【００２５】
一般に、プラズマディスプレイ４は比較的重いものである。従って、モータ１８のみでプラズマディスプレイ４を昇降させようとすると、モータ１８には大きな駆動力を生じるものが必要になる。そのため、モータ１８に大型のものを使用する必要が生じ、ギヤボックス１４が大型になり、本体部２も大型になる可能性がある。
【００２６】
そこで、この実施の形態では、複数、例えば４つの定荷重バネ２２を設けて、モータ１８に小型のものを使用できるにしてある。
【００２７】
そのため、定荷重バネ２２は、図５に示すように、本体部２内部において、プラズマディスプレイ４の背面側上部に、図２（ａ）に示すように等間隔にラック８ａ、８ｂの両側に配置されている。
【００２８】
これら定荷重バネ２２は、いずれもドラム２２ａに巻回されている。このドラム２２ａの軸が、固定板１０に取り付けられている。これらドラム２２ａから引き出された定荷重バネ２２の引き出し端部には、副板２２ｂが取り付けられている。この副板２２ｂが、図５に示すように、プラズマディスプレイ４の下部に設けた取付板２４に結合されている。
【００２９】
定荷重バネ２２は、ドラム２２ａからの引き出し量が変化しても、牽引力（ドラム２２ａへ巻き取られようとする力）が一定になるように構成されている公知のものである。従って、ドラム２２ａに巻き取られている各定荷重バネ２２の量が変化しても、プラズマディスプレイ４を上方に常に一定の力で牽引している。各定荷重バネ２２それぞれの牽引力は、プラズマディスプレイ４の重力よりも小さく、また各定荷重バネ２２の牽引力の合計値も、プラズマディスプレイ４の重力よりもわずかに小さく選択されている。
【００３０】
このように各定荷重バネ２２が、プラズマディスプレイ４の重力の大部分を負担しているので、プラズマディスプレイ４を昇降させるために、モータ１８が発生する必要のある駆動力は、プラズマディスプレイ４の重力よりもかなり小さくすることができる。従って、モータ１８や、モータ１８が収容されているギヤボックス１４を小型化することができる。
【００３１】
上記の実施の形態では、平面型表示装置としてプラズマディスプレイ４を使用したが、これに限ったものではなく、他の平面型表示装置、例えば液晶表示装置等を使用することもできる。上記の実施の形態では、ラックとピニオンとからなる昇降部を用いたが、これに限ったものではなく、公知の種々の昇降機構を使用することができる。
【００３２】
上記の実施の形態では、４つの定荷重バネ２２を設けたが、その個数は任意に変更することができる。また、上記の実施の形態では、モータ１８によって２つのピニオン１６ａ、１６ｂを駆動したが、いずれか一方だけを駆動するように構成し、他方を自由回転するように構成することもできる。上記の実施の形態では、回転伝達体２０では、第１及び第２の平歯車２０ａ、２０ｂの間にグリス２０ｄを設けて、このグリス２０ａによって第２の平歯車２０ｂの回転を第１の平歯車２０ａに伝達したが、例えば第１及び第２の平歯車２０ａ、２０ｂを直接に面接触させ、この面接触の程度、即ち摩擦結合の程度を調整する手段も設けて、第２の平歯車２０ｂの回転を第１の平歯車２０ａに伝達しても良い。この場合、摩擦結合の程度を調整することによって、第１の平歯車２０ａが第２の平歯車２０ｂと独立して回転を開始するように、プラズマディスプレイ４に加える必要のある力の大きさを調整することができる。
【００３３】
【発明の効果】
以上のように、本発明による支持台では、平面型表示装置を本体部内に昇降させることができるので、平面型表示装置を不使用の際には、本体部内に平面型表示装置を収容することで、部屋の美観を損なうことがないし、また窓際にこの支持台を配置しても、平面型表示装置を不使用の場合には、本体部内に平面型表示装置を収容することで、窓の外の風景が平面型表示装置によって阻害されることはない。しかも、この支持台では、定荷重バネを用いて、平面型表示装置の重力を支持しているので、平面型表示装置を昇降させるために駆動部が発生する駆動力を少なくすることができ、駆動部に小型のものを使用することができる。
【図面の簡単な説明】
【図１】本発明の１実施形態の平面型表示装置の支持台の斜視図である。
【図２】図１の支持台の横断面平面図及びそれの一部の拡大図である。
【図３】図１の支持台の部分省略縦断正面図である。
【図４】図１の支持台において使用されるギヤボックスの概略構成図である。
【図５】図１の支持台の縦断側面図である。
【符号の説明】
２  本体部
４  プラズマディスプレイ（平面型表示装置）
８ａ  ８ｂ  ラック（昇降部）
１６ａ  １６ｂ  ピニオン（昇降部）
１８  モータ（駆動部）
【図１】
2005004139.tif 000003
【図２】
2005004139.tif 000004
【図３】
2005004139.tif 000005
【図４】
2005004139.tif 000006
【図５】
2005004139.tif 000007